(57)【要約】本発明は、少なくとも１つの加入者端末用のドライバ回路に関する。ドライバ回路には、加入者端末に電力を供給するために印加される直流電圧信号の電力を増幅するための第１ドライバ（１４）が備えられている。第１ドライバ（１４）には、第１供給電圧（Ｖ１）が供給される。また、ドライバ回路には、発信回路において第１ドライバに接続され、また、高周波信号電流を電力増幅直流電圧信号に変調するために設けられた第２ドライバ（３７；３７ａ、３７ｂ）が備えられている。
2004506366.tif 000002
【特許請求の範囲】
【請求項１】
少なくとも１つの加入者端末用のドライバ回路であって、
加入者端末に電力を供給するための直流電流の電力を増幅し、音声信号電流の電力を増幅し、また、呼出音電流の電力を増幅するための第１ドライバ（１４）であって、第１供給電圧（Ｖ１）によって供給される前記第１ドライバ（１４）と、
第１ドライバ（１４）に続く第２ドライバ（３７；３７ａ、３７ｂ）であって、第１ドライバ（１４）によって電力増幅された信号電流に高周波データ信号電流を変調するための前記第２ドライバ（３７；３７ａ、３７ｂ）と、が備えられているドライバ回路。
【請求項２】
請求項１に記載のドライバ回路であって、第１ドライバ（１４）には、低域フィルタ（３０）が続くことを特徴とするドライバ回路。
【請求項３】
請求項１及び２の１つに記載のドライバ回路であって、低域フィルタ（３０）は、１次低域フィルタであることを特徴とするドライバ回路。
【請求項４】
請求項１乃至３の１つに記載のドライバ回路であって、
１次低域フィルタは、抵抗器（３１；３１ａ、３１ｂ）とコンデンサ（３２）とを備えたＲＣ低域フィルタであることを特徴とするドライバ回路。
【請求項５】
請求項４に記載のドライバ回路であって、抵抗器（３１；３１ａ、３１ｂ）は、受動素子であることを特徴とするドライバ回路。
【請求項６】
請求項４に記載のドライバ回路であって、抵抗器（３１；３１ａ、３１ｂ）は、能動インピーダンスであることを特徴とするドライバ回路。
【請求項７】
請求項１乃至６の１つに記載のドライバ回路であって、低域フィルタ（３０）の遮断周波数ｆＧは、調整し得ることを特徴とするドライバ回路。
【請求項８】
請求項１乃至７の１つに記載のドライバ回路であって、
低域フィルタ（３０）の遮断周波数ｆＧは、低周波信号電流の高い方の遮断周波数と高周波信号電流の低い方の遮断周波数との間にあることを特徴とするドライバ回路。
【請求項９】
請求項１乃至８の１つに記載のドライバ回路であって、
第１電圧源（２２）が、固定基準電位を有する第１電圧（Ｖ１）を生成するために設けられていることを特徴とするドライバ回路。
【請求項１０】
請求項１乃至９の１つに記載のドライバ回路であって、
第２供給電圧（Ｖ２；Ｖ２ａ、Ｖ２ｂ）を生成するための第２電圧源（４５；４５ａ、４５ｂ）であって、低域フィルタ（３０）の出力部（３４；３４ａ、３４ｂ）に基準電位とは独立に接続される前記第２電圧源（４５；４５ａ、４５ｂ）が、設けられていることを特徴とするドライバ回路。
【請求項１１】
請求項１乃至１０の１つに記載のドライバ回路であって、
第２電圧源（４５；４５ａ、４５ｂ）によって出力される第２ドライバ（３７；３７ａ、３７ｂ）用の第２供給電圧（Ｖ２；Ｖ２ａ、Ｖ２ｂ）は、第１電圧源（２２）によって出力される第１ドライバ（１４）用の第１供給電圧（Ｖ１）よりも極めて低いことを特徴とするドライバ回路。
【請求項１２】
請求項１乃至１１の１つに記載のドライバ回路であって、第１ドライバ（１４）は、演算増幅器であることを特徴とするドライバ回路。
【請求項１３】
請求項１乃至１１の１つに記載のドライバ回路であって、
第１ドライバ（１４）は、電流帰還を行なうＤＣ／ＤＣ変換器であることを特徴とするドライバ回路。
【請求項１４】
請求項１乃至８の１つに記載のドライバ回路であって、
第１ドライバ（１４）は、電流帰還を行なうＡＣ／ＤＣ変換器であることを特徴とするドライバ回路。
【請求項１５】
請求項１乃至１４の１つに記載のドライバ回路であって、第２ドライバ（３７）は、演算増幅器であることを特徴とするドライバ回路。
【請求項１６】
請求項１乃至１５の１つに記載のドライバ回路であって、
低周波信号源（４）は、第１ドライバ（１４）の信号入力部（１５）に接続し得ることを特徴とするドライバ回路。
【請求項１７】
請求項１乃至１６の１つに記載のドライバ回路であって、
加算回路（８）の出力部（４０）は、第２ドライバ（３７）の信号入力部（３８）に接続し得ることを特徴とするドライバ回路。
【請求項１８】
請求項１乃至１７の１つに記載のドライバ回路であって、
低周波信号源（４）は、加算回路（８）の第１入力部（７）に接続し得ることを特徴とするドライバ回路。
【請求項１９】
請求項１乃至１８の１つに記載のドライバ回路であって、
高周波信号源（５）は、加算回路（８）の第２入力部（１０）に接続し得ることを特徴とするドライバ回路。
【請求項２０】
請求項１乃至１９の１つに記載のドライバ回路であって、
第３供給電圧源（１３）は、加算回路（８）の第３入力部（１１）に接続して、第２ドライバ（３７）の信号入力部（３８）における信号レベルを大きくすることを特徴とするドライバ回路。
【請求項２１】
請求項１乃至２０の１つに記載のドライバ回路であって、
第３供給電圧源（１３）は、第２供給電圧（Ｖ２）の半分の振幅を有する供給電圧（Ｖ３）を出力することを特徴とするドライバ回路。
【請求項２２】
請求項１乃至２１の１つに記載のドライバ回路であって、
加入者端末は、第２ドライバ（３７）の信号出力部（４９）に接続し得ることを特徴とするドライバ回路。
【請求項２３】
請求項１乃至２２の１つに記載のドライバ回路であって、データ信号電流は、ｘＤＳＬデータ信号電流であることを特徴とするドライバ回路。
【請求項２４】
請求項１乃至２３の１つに記載のドライバ回路であって、ドライバ回路（１）は、差動構造のものであることを特徴とするドライバ回路。
【請求項２５】
請求項３４に記載のドライバ回路であって、
第２ドライバ（３７）は、基準電位とは独立な供給電圧（Ｖ２ａ、Ｖ２ｂ）によって各々供給される差動的に相互接続された２つの演算増幅器（３７ａ、３７ｂ）から構成されていることを特徴とするドライバ回路。
【請求項２６】
請求項２５に記載のドライバ回路であって、
基準電位とは独立な２つの供給電圧（Ｖ２ａ、Ｖ２ｂ）は、各々、フライバック変換器によって生成され、フライバック変換器の二次巻線が接地されていないことを特徴とするドライバ回路。
【発明の詳細な説明】
【０００１】
発明の分野
本発明は、超低消費電力の加入者端末用ドライバ回路に関する。
ＤＥ１９７４０１３７Ａ１によれば、電子加入者回路用のＡＣ呼出電圧を発生させるための方法と回路構成が知られている。この構成において、電力増幅器の動作電圧は、時間と共に変化するＡＣ呼出増幅電圧に対して、動作電圧が、特定の時間間隔で追従するように制御される。
【０００２】
ＤＥ１９８５８９６３Ａ１には、増幅段用の制御可能な電圧源と、増幅される音声信号を分析するための分析装置と、を備えた音声信号増幅器が記載されている。また、音声信号増幅器には、分析された音声信号に依存して電圧源を制御するための制御装置と、分析装置に供給される音声信号を基準にして着信音声信号を遅延させる遅延装置３と、が含まれる。
【０００３】
従来の通信システムにおいて、直流電圧並びに低周波信号及び高周波信号は、それぞれ１つの信号線又は１つの送信チャンネルを介して送信されることが多い。直流電圧は、例えば、加入者端末用の供給電圧である。低周波信号は、例えば、電話用のアナログ音声信号又は呼出音信号である。通信システムによって送信される高周波信号は、殆どの場合、例えば、ｘＤＳＬデータ信号等のデータ信号である。
【０００４】
図１は、低周波及び高周波信号が同じ回線を介して送信される通信システムの一例を概略的に示す。低周波音声信号及び高周波データ信号が、音声及びデータネットワークから交換局に供給されるが、交換局は、交換機Ｓ、例えば、多重化回路を有する。交換機Ｓは、加入者用のドライバ回路に接続されている。交換局に接続された各加入者は、加入者自身のドライバ回路Ｔを有する。音声及びデータ信号は、ドライバ回路Ｔから、例えば、２つのフィルタ即ち高域フィルタＨＰと低域フィルタＴＰとから成るいわゆる分波器に伝わる。低域フィルタＴＰは、低周波音声信号を受信する電話に接続されている。高域フィルタＨＰは、高周波データ信号を変復調するデータモデムに接続されている。
【０００５】
一般的に、ドライバ回路Ｔから回路に送信され、また、例えば、電話に電圧を供給するために用いられる直流電圧、及び低周波呼出音は、１００Ｖを越える大きい信号振幅を有する。このことにより、ドライバ回路Ｔに対しては、非常に高い供給電圧が必要である。例えば、データ送信に用いる高周波信号電流の信号振幅は、非常に小さい。しかしながら、負荷インピーダンスが小さいため、高周波信号電流は、ドライバ回路Ｔの供給電圧から得られる大きな供給電流を生成する。
【０００６】
図２は、従来技術のドライバ回路Ｔを示す。ドライバ回路Ｔは、演算増幅器ＯＰを含み、演算増幅器ＯＰには、２つの供給電圧回線を介して、対応する供給電圧源ＶＥによって電圧が供給される。ドライバ回路Ｔの入力Ｅは、低周波信号源Ｓ１及び高周波信号源Ｓ２に接続されており、それらの信号電流は、重ね合わされている。様々な信号電流又は信号成分の重ね合わせは、図２の加算要素によって示す。低周波電圧源Ｓ１は、端末に供給するための直流電圧、及び低周波信号、特に、低周波音声信号を供給する。高周波信号源Ｓ２は、比較的信号振幅が小さい高周波データ信号を出力する。ドライバ回路Ｔの出力部Ａにおいて、全信号の周波数域が、出力部に接続される端末を駆動するために低インピーダンスで利用可能である。
【０００７】
一般的に、ドライバ回路Ｔ用の供給電圧ＶＢは、接続電源によって供給される。
図２に示す従来技術のドライバ段Ｔの欠点は、２つの信号源Ｓ１及びＳ２の最大信号振幅が、演算増幅器ＯＰにおいて制限されないように供給電圧ＶＢを選択しなければならないという点である。
【０００８】
ドライバ段Ｔ内の演算増幅器ＯＰに必要な供給電圧ＶＢは、以下の関係式から計算される。
【０００９】
【数１】
2004506366.tif 000003
ここで、
【００１０】
【数２】
2004506366.tif 000004
は、低周波信号電流の波高値、
【００１１】
【数３】
2004506366.tif 000005
は、高周波信号電流の波高値、Ｖｄｒｏｐは、ドライバ回路の設計に関係する電圧降下である。
【００１２】
ドライバ回路Ｔの消費電力ＰＶは、負荷電流によるが、以下の式から得られる。
ＰＶ＝ＰＧ−ＰＬ＝ＶＢ・Ｆ２・ｉ１、２−ＰＬ
ここで、ＰＶは、ドライバ回路Ｔの負荷電流に関係する消費電力、ＰＧは、ドライバ回路Ｔの負荷電流に関係する総消費電力、ＰＬは、負荷への出力電力、ＶＢは、ドライバ回路Ｔの供給電圧、ｉ１、２は、総信号電流のｒｍｓ値、Ｆ２は、形状係数、即ち、信号の整流値とｒｍｓ値との間の信号形状依存比である。
【００１３】
式から分かるように、ドライバ回路Ｔの消費電力は、ドライバ回路の供給電圧ＶＢの増加に伴って大きくなる。従来技術のドライバ回路Ｔの供給電圧ＶＢは、低周波及び高周波信号電流の２つの波高値、
【００１４】
【数４】
2004506366.tif 000006
の合計よりも大きいため、ドライバ回路Ｔに必要な供給電圧ＶＢ、また、従って、ドライバ回路Ｔの消費電力ＰＶは、非常に大きい。図２に示す従来のドライバ回路Ｔにおいて生じる消費電力ＰＶは、非常に大きな放熱器を備えた精巧な筐体無しでは、アナログ音声信号伝送に接続する全定格のＡＤＳＬ用の集積ドライバ回路を実現することが従来不可能な程の大きさである。
【００１５】
従って、本発明の目的は、加入者端末に低周波及び高周波信号電流を送信するための最小消費電力のドライバ回路を提供することである。
本発明によれば、この目的は、加入者端末用のドライバ回路によって達成され、請求項１に規定する特徴を有する。
【００１６】
本発明は、少なくとも１つの加入者端末用のドライバ回路を提供する。ドライバ回路には、加入者端末に電力を供給するために印加される直流電流の電力増幅用の第１ドライバが備えられている。第１ドライバは、第１供給電圧（Ｖ１）によって供給される。また、ドライバ回路は、第１ドライバに続く第２ドライバであって、高周波データ信号電流を電力増幅器直流電圧信号に変調するための第２ドライバが備えられている。
【００１７】
好適には、第１ドライバの後段に低域フィルタを伴う。
好適な実施形態において、この低域フィルタは、１次低域フィルタである。
１次低域フィルタは、好適には、抵抗器とコンデンサとを含むＲＣ低域フィルタである。
抵抗器は、好適には受動素子である。
他の実施形態において、抵抗器は、能動インピーダンスとして構成される。
好適には、低域フィルタの遮断周波数は、調整し得る。
これによって、ドライバ回路が、様々な通信規格、例えば、異なるＤＳＬ規格に対して用い得るという利点が得られる。
【００１８】
低域フィルタの遮断周波数は、好適には、低周波信号電流の高い方の遮断周波数と高周波信号電流の低い方の遮断周波数との間にある。
本発明に基づくドライバ回路の好適な実施形態において、第１供給電圧を生成するために固定基準電位を有する第１電圧源が設けられている。
【００１９】
基準電位は、好適には、接地電位である。
本発明に基づくドライバ回路の更に好適な実施形態において、第２電圧源が、第２供給電圧を生成するために設けられるが、第２電圧源は、基準電位とは独立に低域フィルタの出力部に接続される。
【００２０】
本発明に基づくドライバ回路の好適な実施形態において、第２電圧源によって供給される第２ドライバ用の第２供給電圧は、第１電圧源によって供給される第１ドライバ用の第１供給電圧よりも極めて低い。
【００２１】
第１ドライバは、好適には、演算増幅器である。
他の実施形態において、第１ドライバは、電流帰還を行なうＡＣ／ＤＣ変換器である。
更に他の実施形態において、第１ドライバは、電流帰還を行なうＤＣ／ＤＣ変換器である。
【００２２】
第２ドライバは、好適には、線形増幅を行なう演算増幅器である。
本発明に基づくドライバ回路の更に好適な実施形態において、低周波信号源は、第１ドライバの信号入力部に接続し得る。
更に好適な実施形態において、第２ドライバの信号入力部は、加算回路の出力部に接続する。
【００２３】
この構成において、好適には、低周波信号源は、加算回路の第１入力部に接続し得る。
好適には、高周波信号源は、加算回路の第２入力部に接続し得る。
本発明に基づくドライバ回路の特に好適な実施形態において、第２ドライバの信号入力部における信号レベルを大きくするための第３供給電圧源が、加算回路の第３入力部に接続される。
【００２４】
好適には、第３供給電圧源が供給する供給電圧の振幅は、第２供給電圧源が供給する第２供給電圧の振幅の半分である。
好適には、加入者端末は、第２ドライバの信号出力部に接続し得る。
第１ドライバによって増幅される低周波信号電流には、好適には、加入者端末に供給するための直流電流、音声信号電流、及び呼出音電流が含まれる。
【００２５】
第２ドライバによって増幅される高周波信号電流には、好適には、高周波データ信号電流が含まれる。
これらの高周波データ信号電流は、好適には、ｘＤＳＬデータ信号電流である。
【００２６】
本発明に基づくドライバ回路の特に好適な実施形態において、このドライバ回路は、差動構造のものである。
この構成において、第２ドライバには、各々、基準電位とは独立な供給電圧によって供給される差動的に相互接続された２つの演算増幅器がある。
【００２７】
基準電位とは独立な２つの供給電圧は、好適には、各々、フライバック変換器によって生成され、フライバック変換器の二次巻線は、接地されていない。
以下の本文において、本発明に対して本質的な特徴を説明するために、本発明に基づくドライバ回路の好適な実施形態について添付図を参照して説明する。
【００２８】
図３に示す実施形態において、本発明に基づく加入者端末用ドライバ回路１は、低周波信号源４及び高周波信号源５を接続するための２つの信号入力部２、３を有する。低周波信号源Ｓ１によって供給される低周波信号電流は、信号入力部２から回線６を介して加算回路８の第１入力部７に流れる。高周波信号源５によって供給される高周波信号電流は、回線９を介して、加算回路８の第２入力部１０に印加される。加算回路８は、第３入力部１１を有し、第３入力部１１には、回線１２を介して、第３電圧源１３が接続される。低周波信号電流源４と高周波信号電流源５によって供給される高周波及び低周波信号電流の加算又は重ね合わせは、ドライバ回路１の外側でも起こり得る。
【００２９】
ドライバ回路１には、低周波信号電流用の第１ドライバ１４が含まれ、ドライバ１４の入力部１５は、内部回線１６を介して、回線６で分岐ノード１７に接続する。第１ドライバ１４は、第１供給電圧Ｖ１を印加するための２つの供給電圧端子１８、１９を有する。ドライバ１４の第１供給電圧端子１８は、供給電圧回線２０を介して、供給電圧源２２の第１端子２１に接続する。ドライバ１４の第２供給電圧端子１９は、回線２３を介して、分岐ノード２４に接続する。分岐ノード２４は、回線２５上に位置し、回線２５は、供給電圧源２２の第２端子２６を基準電位接地に接続する。ドライバ１４の信号出力部２７は、回線２８を介して、低域フィルタ３０の入力端子２９に接続する。低域フィルタ３０には、抵抗器３１とコンデンサ３２と、が含まれる。低域フィルタ３０のコンデンサ３２は、抵抗器３１と共にノード３３と接続し、その反対側の端子は、基準電位接地に接続する。
【００３０】
図３に示す低域フィルタ３０は、１次低域フィルタであり、１次低域フィルタの回路は、極めて僅かな費用で作製し得る。抵抗器３１は、インピーダンス合成によって実装される受動素子か能動インピーダンスのいずれかである。これは、例えば、ドライバ１４の能動出力インピーダンスであり得る。低域フィルタ３０の遮断周波数ｆｇは、調整可能であることが好ましい。このために、好適には、抵抗器３１の抵抗値又はコンデンサ３２の容量は、変更される。他の実施形態において、抵抗器３１の抵抗値は、プログラム指定し得る。低域フィルタ３０の遮断周波数ｆｇは、低周波信号電流の高い方の遮断周波数、例えば、音声信号用の４ｋＨｚと、高周波信号電流の低い方の遮断周波数、例えば、ＤＳＬデータ信号電流用の１３８ｋＨｚとの間である。低域フィルタ３０の出力部３４は、回線３５を介して、ノード３６に接続する。
【００３１】
本発明に基づくドライバ回路１には、第２ドライバ３７が含まれ、第２ドライバ３７の信号入力部３８は、回線３９を介して、加算回路８の出力部４０に接続する。第２ドライバ３７には、第１供給電圧端子４１及び第２供給電圧端子４２がある。ドライバ３７の第１供給電圧端子４１は、供給電圧回線４３を介して、供給電圧源４５の第１端子４４に接続する。供給電圧源４５には、回線４７を介してノード３４に接続する第２供給電圧端子４６がある。また、ドライバ３７の第２供給電圧端子４２は、供給電圧回線４８を介して、ノード３６に接続する。図３から分かるように、ドライバ３７用の第２供給電圧を生成するための第２電圧源４５は、基準電位とは独立に低域フィルタ３０の出力部３４に接続される。供給電圧源４５の基準電位とは独立な供給電圧Ｖ２の振幅は、高周波信号電流及び高周波信号の信号振幅にそれぞれ適合する。
【００３２】
ドライバ３７の信号入力部３８において、供給電圧源１３は、供給電圧源１３が供給する電圧によって、信号レベルを定常的に大きくする。供給電圧源１３が供給する供給電圧は、好適には、供給電圧源４５が供給する供給電圧Ｖ２の半分である。これによって、その供給電圧のぎりぎりの範囲内でドライバ３７の変調が可能である。
【００３３】
出力部４９は、回線５０を介して、ドライバ回路１の出力部５１に接続する。加入者装置は、保護回路を介して、ドライバ回路１の出力部５１に接続し得る。接続された加入者端末並びにドライバ回路１と加入者端末との間の回線は、複素インピーダンスＺＬを有する。
【００３４】
第１ドライバ１４に電圧を供給するための第１供給電圧源２２の供給電圧Ｖ１は、以下の様に得られる。
【００３５】
【数５】
2004506366.tif 000007
ここで、
【００３６】
【数６】
2004506366.tif 000008
は、直流電圧信号、呼出音信号、及び可能性として音声信号の波高値の合計であり、ＶＤｒｏｐ１は、ドライバ回路１４における設計に関係する電圧降下である。
【００３７】
第２ドライバ３７に電圧を供給するための第２供給電圧源４５が供給する供給電圧Ｖ２は、以下の様に得られる。
【００３８】
【数７】
2004506366.tif 000009
ここで、
【００３９】
【数８】
2004506366.tif 000010
は、高周波信号電流及び可能性として音声信号の波高値であり、ＶＤｒｏｐ２は、ドライバ回路３７における設計に関係する電圧降下である。
【００４０】
これによって、以下の式から、ドライバ回路１全体の負荷電流に関係する消費電力が与えられる。
ＰＶ＝ＰＧ−ＰＬ＝ＰＶ１＋ＰＶ２−ＰＬ＝Ｖ１・Ｆ１・ｉ１＋Ｖ２・Ｆ２・ｉ１，２−ＰＬ
【００４１】
ここで、ＰＶは、ドライバ回路全体の負荷電流に関係する消費電力、ＰＧは、ドライバ回路全体の負荷電流に関係する総消費電力、ＰＬは、負荷ＺＬに供給される電力、Ｖ１は、ドライバ回路１４の供給電圧、Ｖ２は、ドライバ回路３７の供給電圧、ｉ１、２は、総信号電流のｒｍｓ値、ｉ１は、ＤＣ信号電流及び低周波信号電流のｒｍｓ値、Ｆ１は、形状係数、即ち、高周波信号の整流値とｒｍｓ値との間の信号形状依存比、Ｆ２は、形状係数、即ち、総出力信号の整流値とｒｍｓ値との間の信号形状依存比である。
【００４２】
２つの式２、６を比較すると分かるように、本発明に基づくドライバ回路の消費電力は、図２に示す従来のドライバ回路Ｔの消費電力よりもはるかに少ない。
図４は、本発明に基づくドライバ回路１の特に好適な実施形態を示す。図４に示すドライバ回路１の好適な実施形態は、差動構造のものである。第２ドライバ３７は、差動的に相互接続された２つの演算増幅器３７ａ、３７ｂから構成されており、２つの演算増幅器３７ａ、３７ｂは、各々、基準電位とは独立に、対応する供給電圧Ｖ２ａ、Ｖ２ｂによって供給される。基準電圧とは独立な２つの供給電圧Ｖ２ａ、Ｖ２ｂは、各々、好適には、フライバック変換器によって生成され、フライバック変換器の二次巻線は接地しない。
【００４３】
図２に示す従来のドライバ回路Ｔと比較すると、本発明に基づくドライバ回路１の消費電力は以下の例で分かるように非常に小さい。
低周波電流要素として、６５Ｖｒｍｓ／２０Ｈｚの呼出音信号と、回線上の高周波信号電流として、２０ｄＢｍの送信電力の全定格ＡＤＳＬ信号とを仮定すると、以下の値が得られる。
【００４４】
低周波信号の電圧波高値
【００４５】
【数９】
2004506366.tif 000011
は、
【００４６】
【数１０】
2004506366.tif 000012
であり、
高周波信号の電圧波高値
【００４７】
【数１１】
2004506366.tif 000013
は、
【００４８】
【数１２】
2004506366.tif 000014
である。
従来技術のドライバ回路Ｔの設計に関係する電圧降下は、ＶＤＲＯＰ＝１５Ｖである。
【００４９】
従って、従来技術のドライバ回路Ｔの供給電圧は、以下の通りである。
【００５０】
【数１３】
2004506366.tif 000015
従来技術のドライバ回路Ｔにおける負荷電流に関係する消費電力ＰＶは、以下の通りである。
【００５１】
ＰＶ＝ＰＧ−ＰＬ＝ＶＢ・Ｆ・ｉ１，２−ＰＬ＝１６０Ｖ・０．８５・３２ｍＡ−９５０ｍＷ＝３．４Ｗ
ここで、比較すると、図４に示す本発明に基づくドライバ回路１に対して、
【００５２】
【数１４】
2004506366.tif 000016
が得られる。
第１ドライバ１４に対して得られる第１供給電圧は、以下の通りである。
【００５３】
【数１５】
2004506366.tif 000017
ここで、
【００５４】
【数１６】
2004506366.tif 000018
である。
第２ドライバに対する供給電圧は以下の通りである。
【００５５】
【数１７】
2004506366.tif 000019
従って、本発明に基づくドライバ回路１の消費電力ＰＶは、以下の通りである。
【００５６】
ＰＶ＝ＰＧ−ＰＬ＝ＰＶ１＋ＰＶ２−ＰＬ＝Ｖ１・Ｆ１・ｉ１＋Ｖ２・Ｆ２・ｉ１，２−ＰＬ
＝１２０Ｖ・０．８５・１１ｍＡ＋４０Ｖ・０．９・３２ｍＡ−９５０ｍＷ＝１．３２４Ｗ
【００５７】
従って、図２に示す従来のドライバ回路Ｔと比較して、図４に示す本発明に基づくドライバ回路１の消費電力ΔＰの節約量は以下の通りである。
△Ｐ＝３．４Ｗ−１．３２４Ｗ＝２．０７６Ｗ
本発明に基づくドライバ回路１は、信号回路の周波数を２つの信号経路に分離する。周波数に関して信号電流経路の分割を行なう供給電圧概念の新しい設計法により、本発明に基づくドライバ回路１は、消費電力の大幅な節約を実現し得る。従来のＡＤＳＬシステムにおいて、ＡＤＳＬ信号は、特別なモデムによって生成され、精巧でコスト高のアナログフィルタや分波器を介して、曲がりくねって電話回線に入り込む。音声及び呼出音信号は、いわゆるアナログの回線カードによって再生される。分波器は、アナログ回線カードからの低周波信号用のドライバと、ＡＤＳＬモデムからの高周波信号用のドライバとを並列に接続する。２つの信号電流経路は、信号レベルで分離される。その結果、分波器は、極めてフィルタ次数の高いアナログフィルタから構成しなければならない。このようなフィルタ次数の高いフィルタは、極めて高いコストでしか作製できない。
【００５８】
本発明に基づくドライバ回路１では、比較によって、信号電流経路が、供給電圧レベルで分離され、その結果、非常に簡単な１次低域フィルタ３０を用いるだけで充分である。従って、本発明に基づくドライバ回路１の作製のコストは、極めて僅かである。
【００５９】
本発明に基づくドライバ回路１の回路構成による消費電力の低減によって、ドライバ回路は、非常に小さな放熱器を有する簡単な筐体に組み込むことが可能である。
【００６０】
また、本発明に基づくドライバ回路１は、更に以下の利点を含む。
ドライバ回路３７に流れる休止電流は、回路に必要な周波数帯域幅のために、非常に大きい。こうして、この時休止電流は、もっぱら供給電圧Ｖ１よりも非常に低い供給電圧Ｖ２を介して流れる。このことによって、消費電力の大幅な節約が確実になる。
【００６１】
他の利点は、第１ドライバ１４における低周波信号電流に関して、ドライバ３７における総信号電流よりも低い電流制限値を指定し得るという点にある。このことによって、本発明に基づくドライバ回路１の過電流耐久性が大きくなる。
【００６２】
他の利点は、第２ドライバ３７用の非常に低い供給電圧Ｖ２により、このドライバ３７をより小さい絶縁耐力を有する高速トランジスタで構成し得るという点にある。これにより、必要な幅広い帯域幅の実現が非常に簡単になる。
【図面の簡単な説明】
【図１】従来技術に基づく、高周波及び低周波信号を回線上で送信するための通信システムの構造を示す図。
【図２】従来技術に基づくドライバ回路Ｔを示す図。
【図３】本発明に基づくドライバ回路の第１実施形態を示す図。
【図４】本発明に基づくドライバ回路の第２実施形態を示す図。
【符号の説明】
１・・・ドライバ回路、２・・・信号入力部、３・・・信号入力部、４・・・低周波信号源、５・・・高周波信号源、６・・・回線、７・・・加算要素入力部、８・・・加算要素、９・・・回線、１０・・・加算要素入力部、１１・・・加算要素入力部、１２・・・回線、１３・・・電圧源、１４・・・第１ドライバ、１５・・・ドライバ入力部、１６・・・回線、１７・・・分岐ノード、１８・・・供給電圧端子、１９・・・供給電圧端子、２０・・・供給電圧回線、２１・・・電圧源端子、２２・・・電圧源、２３・・・供給電圧回線、２４・・・ノード、２５・・・回線、２６・・・電圧源端子、２７・・・ドライバ出力部、２８・・・回線、２９・・・フィルタ入力部、３０・・・低域フィルタ、３１・・・抵抗器、３２・・・コンデンサ、３３・・・ノード、３４・・・フィルタ出力部、３５・・・回線、３６・・・ノード、３７・・・第２ドライバ、３８・・・ドライバ入力部、３９・・・回線、４０・・・加算回路出力部、４１・・・供給電圧端子、４２・・・供給電圧端子、４３・・・供給電圧回線、４４・・・電圧源端子、４５・・・電圧源、４６・・・電圧源端子、４７・・・回線、４８・・・供給電圧回線、４９・・・ドライバ出力部、５０・・・回線、５１・・・ドライバ出力部。
【図１】
2004506366.tif 000020
【図２】
2004506366.tif 000021
【国際公開パンフレット】
2004506366.tif 000022
2004506366.tif 000023
2004506366.tif 000024
2004506366.tif 000025
2004506366.tif 000026
2004506366.tif 000027
2004506366.tif 000028
2004506366.tif 000029
2004506366.tif 000030
2004506366.tif 000031
2004506366.tif 000032
2004506366.tif 000033
2004506366.tif 000034
2004506366.tif 000035
2004506366.tif 000036
2004506366.tif 000037
2004506366.tif 000038
2004506366.tif 000039
2004506366.tif 000040
2004506366.tif 000041
2004506366.tif 000042
2004506366.tif 000043
2004506366.tif 000044
2004506366.tif 000045
2004506366.tif 000046
2004506366.tif 000047
2004506366.tif 000048
2004506366.tif 000049
2004506366.tif 000050
【国際公開パンフレット（コレクトバージョン）】
2004506366.tif 000051
2004506366.tif 000052
【国際調査報告】
2004506366.tif 000053
2004506366.tif 000054
2004506366.tif 000055
2004506366.tif 000056
2004506366.tif 000057
2004506366.tif 000058